(57)【要約】【課題】この発明は、構成簡易にして、信頼性の高い確実な防塵を実現したうえで、簡便にして容易な組立て作業を実現し得るようにすることにある。【解決手段】一端部がスリーブ１４（１５）の周壁に着脱自在に支持されるカバー部１６１と、このカバー部１６１の当接部１６３が摺動自在に当接されるハウジング１２に対して着脱自在に弾性係合される摺動部１６６と、カバー部１６１の一端部と摺動部１６６の調整口１６４との間に懸架されて、一部に上記スリーブ１４（１５）が嵌挿される弾性変形自在な弛み部１６７とを一体形成したカバー部材１６を、ハウジング１２の開口１２１とスリーブ１４（１５）との間に弾性係合して配するように構成し、所期の目的を達成した。【選択図】    図２
2005003896.tif 000002
【特許請求の範囲】
【請求項１】
ハウジングを備えた顕微鏡本体に一対の接眼レンズ鏡筒を眼幅調整自在に配してなる実体顕微鏡において、
前記接眼レンズ鏡筒とハウジングとの間を閉塞するものであって、一端部が前記接眼レンズ鏡筒の周壁に着脱自在に支持されるカバー部、このカバー部の他端部が摺動自在に当接される前記ハウジングに対して着脱自在に弾性係合される摺動部、及び前記カバー部の一端部と前記摺動部との間に懸架されて前記カバー部内に配され、一部に前記接眼レンズ鏡筒が嵌挿される弾性変形自在な弛み部が一体形成されたカバー部材を具備することを特徴とする実体顕微鏡。
【請求項２】
前記カバー部材は、前記カバー部、摺動部及び弛み部を二組、前記一対の接眼レンズ鏡筒に対応して設けたことを特徴とする請求項１記載の実体顕微鏡。
【請求項３】
前記ハウジングは、合体可能に分割した一対の分割ハウジングで形成して、この一対の分割ハウジングに前記一対の接眼レンズ鏡筒を配するように構成したことを特徴とする請求項２記載の実体顕微鏡。
【請求項４】
さらに、前記カバー部材のカバー部の他端部と前記摺動部との間に、潤滑シートを配したことを特徴とする請求項１乃至３のいずれか記載の実体顕微鏡。
【発明の詳細な説明】
【０００１】
【発明の属する技術分野】
この発明は、例えば生きたままの生物等の標本を観察したり、各種の作業に用いたり、あるいは半導体デバイス工程での各種検査等の各種作業に用いられる実体顕微鏡に関する。
【０００２】
【従来の技術】
一般に、実体顕微鏡においては、顕微鏡本体に左右一対の接眼レンズ鏡筒を配して、この接眼レンズ鏡筒には、接眼レンズが組付けられる。そして、この一対の接眼レンズ鏡筒は、眼幅調整機構を介して眼幅調整自在に設けられ、使用者に適した眼幅に接眼レンズが調整されて観察に供される。
【０００３】
そこで、このような実体顕微鏡は、その接眼レンズ鏡筒を顕微鏡本体に眼幅調整が可能に配して、その眼幅調整に伴って生じる接眼レンズ鏡筒と顕微鏡本体との間の間隙を、閉塞するようにカバー部材が被着される。
【０００４】
例えばこのようなカバー構造としては、接眼レンズ鏡筒の周囲に移動カバーを、顕微鏡本体に配した固定カバーに対向して組付けて、この移動カバーと固定カバーとの間にリング状の弾性部材を配して、ゴミ等の侵入を防止する構成のものが知られている（例えば、特許文献１参照）。
【０００５】
また、対向配置される鏡筒とハウジングの間を覆うようにスリーブを、その両端をそれぞれクランプリング等を鏡筒及びハウジングに嵌合させて取り付け配置するようにしたカバー構造もある（例えば、特許文献２参照）。
【０００６】
【特許文献１】
実開平２−６４９０９号公報（第１図参照）
【０００７】
【特許文献２】
特開２００１−３５６２６７号公報
【０００８】
【発明が解決しようとする課題】
以上述べたように、従来の実体顕微鏡では、前者のカバー構造の場合、移動カバーと弾性部材との間に、大きな摩擦が生じるために、使用していくと、弾性部材が削れて、内部に侵入してしまう虞を有する。
【０００９】
また、後者のカバー構造では、その構成上、スリーブの弾性力が大きいと、鏡筒の高精度な位置調整が困難となるために、スリーブを薄く設定しなければならないことにより、耐久性が劣るという問題を有する。そして、スリーブを、鏡筒及びハウジングに組付けるのにクランプリング等の別部材を用いているために、その組立て作業が面倒であるという不都合を有する。
【００１０】
この発明は上記の事情に鑑みてなされたもので、構成簡易にして、信頼性の高い確実な防塵を実現し得、且つ、簡便にして容易な組立て作業を実現し得るようにした実体顕微鏡を提供することを目的とする。
【００１１】
【課題を解決するための手段】
この発明は、ハウジングを備えた顕微鏡本体に一対の接眼レンズ鏡筒を眼幅調整自在に配してなる実体顕微鏡において、前記接眼レンズ鏡筒とハウジングとの間を閉塞するものであって、一端部が前記接眼レンズ鏡筒の周壁に着脱自在に支持されるカバー部、このカバー部の他端部が摺動自在に当接される前記ハウジングに対して着脱自在に弾性係合される摺動部、及び前記カバー部の一端部と前記摺動部との間に懸架されて前記カバー部内に配され、一部に前記接眼レンズ鏡筒が嵌挿される弾性変形自在な弛み部が一体形成されたカバー部材を備えて構成した。
【００１２】
上記構成によれば、カバー部材は、その弛み部に接眼レンズ鏡筒を嵌挿すると共に、その摺動部をハウジングに弾性係合させてハウジングに組付けると、そのカバー部が接眼レンズ鏡筒に嵌挿された弛み部を覆うように配されてハウジング内への塵の侵入を防止する。そして、接眼レンズ鏡筒が一方方向に可動されると、そのカバー部材のカバー部の他端部が摺動部上を摺動して移動され、その移動に伴ってカバー部に覆われた弛み部が、移動方向の弛みが少なくなり、逆方向の弛みが増加されて、眼幅調整が行われる。
【００１３】
これにより、カバー部材の接眼レンズ鏡筒及びハウジングへの容易な組付けが実現される。そして、カバー部材を、ハウジングと接眼レンズ鏡筒の間を封止する弛み部をカバー部で覆うカバー構造を採っていることにより、眼幅に応じた塵の侵入を確実に防止したうえで、耐久性に優れた、防塵構造を実現することができる。
【００１４】
また、この発明は、前記カバー部材に、前記カバー部、摺動部及び弛み部を二組、前記一対の接眼レンズ鏡筒に対応して設けて構成した。これによれば、構成部品点数の軽減が図れて、組立て作業の簡略化を図ることができる。
【００１５】
また、この発明は、前記ハウジングを、合体可能に分割した一対の分割ハウジングで形成して、この一対の分割ハウジングに前記一対の接眼レンズ鏡筒を配するように構成した。これによれば、カバー部材を用いて接眼レンズ鏡筒を配した分割ハウジングの相互間の防塵機能も奏し、防塵構造の兼用が可能となり、構成の簡略化が図れる。
【００１６】
また、この発明は、前記カバー部材のカバー部の他端部と前記摺動部との間に、潤滑シートを配して構成した。これによれば、カバー部の他端部は、潤滑シートを介して摺動部上を摺動することにより、摺動部との間の密着性が図れ、防塵機能の向上が図れる。
【００１７】
【発明の実施の形態】
以下、この発明の実施の形態について、図面を参照して詳細に説明する。
【００１８】
図１は、この発明の一実施の形態に係る実体顕微鏡を示すもので、顕微鏡本体１０は、ハウジング１１，１２で構成され、このハウジング１２内には、図示しない観察光学系、ズーム機構部、眼幅調整機構部等が収容配置される。そして、ハウジング１２の周壁には、ズームハンドル１３が回転操作自在に配され、このズームハンドル１３の回転操作により上記ズーム機構部（図示せず）が駆動されて観察倍率が可変制御される。
【００１９】
また、ハウジング１２には、一対の接眼レンズ鏡筒を構成する一対の開口１２１（図２参照、但し、図２においては、図の都合上、一方のみを図示し、同一符号を付す）が所定の間隔を有して形成され、この開口１２１，１２１には、スリーブ１４，１５がカバー部材１６を介してそれぞれ眼幅調整可能に水平、または円弧状に移動自在に配される。このスリーブ１４，１５には、上記眼幅調整機構部（図示せず）が連結される。このスリーブ１４，１５には、接眼レンズ９ａ，９ｂが嵌合等で着脱可能に取り付けられている。
【００２０】
上記カバー部材１６は、同様にゴム等の弾性部材で例えば図２に示すように一体形成され、略中央部に筒状の隙間閉塞用のカバー部１６１が突出して設けられる。このカバー部１６１の先端には、係合部１６２が内径方向に突出して設けられ、この係合部１６２は、上記スリーブ１４，１５の周壁に設けられる係合溝１４１，１５１に弾性係合されて取り付けられる。この係合溝１４１，１５１は、スリーブ１４，１５のハウジング面に対して接眼レンズ方向に所定の間隔移動した位置に形成される。
【００２１】
また、上記カバー部１６１の基端には、外径方向に鍔状に広がった当接部１６３が設けられ、この当接部１６３は、上記ハウジング面と略平行に配される摺動部１６６に形成された調整口１６４の周囲に摺動自在に当接されて配される。この調整口１６４には、弾性係止部１６５がハウジング１２の板厚に対応して設けられる。そして、この弾性係止部１６５は、ハウジング１２の開口１２１の周囲に設けられる凹部１２２の背面に弾性力を利用して係止され、上記調整口１６４をハウジング１２の開口１２１に位置決めする。
【００２２】
上記カバー部１６１の先端部と上記摺動部１６６の調整口１６４との間には、弛み部１６７が該調整口１６４を閉塞するように懸架されて設けられる。この弛み部１６７は、弾性変形自在に薄肉形状に形成され、そのカバー部１６１に連接される一部が上記スリーブ１４，１５の周囲に嵌挿される。これにより、弛み部１６７は、スリーブ１４，１５を介してカバー部１６１が付勢されると、その弾性力によりカバー部１６１の当接部１６３が、摺動部１６６上を摺動可能に変形されてスリーブ１４，１５の移動を許容する。
【００２３】
この弛み部１６７は、スリーブ１４，１５の各移動位置において、カバー部１６１により覆われて外部に露出されることがないように、カバー部１６１及び摺動部１６６の調整口１６４との配置関係が設定される。
【００２４】
上記摺動部１６６は、上記ハウジング１２の開口１２１の凹部１２２に収容されて該ハウジング面と略面一に配され、その背面には、複数の弾性変形自在な嵌合突部１６８が、所定の間隔に設けられる。この嵌合突部１６８は、例えば先端部が円錐形状に形成され、その弾性力を利用して先端部が上記ハウジング１２の凹部１２２に設けられる嵌合孔１２３に挿入されて弾性係合される。
【００２５】
これにより、摺動部１６６は、上記調整口１６４の弾性係止部１６５及び嵌合突部１６８により、協働してハウジング１２の凹部１２２内に位置決めされて収容配置される。
【００２６】
上記構成において、カバー部材１６は、その摺動部１６６をハウジング１２の凹部１２２に収容して調整口１６４の弾性係止部１６５をハウジング１２の開口１２１の周囲に弾性力を利用して係止させると共に、摺動部１６６の嵌合突部１６８を凹部１２２の嵌合孔１２３に弾性を利用して弾性係合させて取り付けられる。この際、カバー部材１６は、そのカバー部１６１内にスリーブ１４（１５）を挿通させ、カバー部１６１の係合部１６２をスリーブ１４（１５）の係合溝１４１（１５１）に係合させると共に、弛み部１６７内、該弛み部１６７を弾性を利用してスリーブ１４（１５）を嵌挿させる。
【００２７】
これにより、カバー部材１６は、その弛み部１６７の一部にスリーブ１４（１５）が、その弾性に抗して嵌挿されてハウジング１２の開口１２１を封止し、カバー部１６１が弛み部１６７を覆った状態で、ハウジング１２及びスリーブ１４（１５）への組付けが完了される。
【００２８】
そして、眼幅調整時には、一対のスリーブ１４（１５）が、上記眼幅調整機構部（図示せず）を介して、ハウジング１２に対して離間する方向あるいは狭まる方向に移動付勢されて調整される。この際、スリーブ１４（１５）に取り付けられたカバー部材１６は、そのカバー部１６１の当接部１６３が摺動部１６６上を摺動し、図３（ａ）に示すように近づいてくる移動方向側の弛み部１６７の弛み量が少なくなり、逆に遠ざかる初期位置側の弛み部１６７の弛み量が多くなりスリーブ１４（１５）がハウジング１２に対して所望の位置まで移動される（但し、図３においては、スリーブ１４（１５）の一方側のみを図示、他方側は、一方側と略逆に動作される）。
【００２９】
ここで、カバー部材１６は、そのカバー部１６１が移動位置において、弛み部１６７を覆って塵等が調整口１６４内に侵入するのを防止する。これにより、塵等が、ハウジング１２の外からハウジング１２の開口１２１を通って内部に侵入するのが確実に防止される。
【００３０】
また、カバー部材１６は、スリーブ１４（１５）が反転付勢されて、図３（ｂ）に示すように反転移動されると、そのカバー部１６１の当接部１６３が摺動部１６６上を摺動する。これにより、カバー部材１６は、その弛み部１６７の弛み状態が変化され、スリーブ１４（１５）のハウジング１２に対する移動を許容して眼幅の調整を可能とする。ここで、カバー部材１６は、そのカバー部１６１が移動位置において、同様に弛み部１６７を覆って塵等が調整口１６４内に侵入するのを防止する。
【００３１】
上記カバー部材１６は、例えば保守点検等のために、ハウジング１２及びスリーブ１４（１５）から取り外す場合には、上記組立て手順と略逆に摺動部をハウジング１２の凹部１２２から離脱させると共に、その嵌合突部１６８を弾性力に抗して凹部１２２の嵌合孔１２３から離脱させる。同時に、カバー部１６１の係合部１６２がスリーブ１４（１５）の係合溝１４１（１５１）から離脱させることで、取り外しが完了される。
【００３２】
このように、上記実体顕微鏡は、一端部がスリーブ１４（１５）の周壁に着脱自在に支持されるカバー部１６１と、このカバー部１６１の当接部１６３が摺動自在に当接されるハウジング１２に対して着脱自在に弾性係合される摺動部１６６と、カバー部１６１の一端部と摺動部１６６の調整口１６４との間に懸架されて、一部に上記スリーブ１４（１５）が嵌挿される弾性変形自在な弛み部１６７とを一体形成したカバー部材１６を、ハウジング１２の開口１２１とスリーブ１４（１５）との間に弾性係合して配するように構成した。
【００３３】
これによれば、カバー部材１６は、その弛み部１６７にスリーブ１４（１５）を嵌挿すると共に、その摺動部１６６をハウジング１２に弾性係合させてハウジング１２に組付けると、そのカバー部１６１がスリーブ１４（１５）に嵌挿された弛み部１６７を覆うように配されてハウジング１２内への塵の侵入を防止する。そして、スリーブ１４（１５）が一方方向に可動されると、そのカバー部材１６のカバー部１６１の当接部１６３が摺動部１６６上を摺動して移動され、その移動に伴ってカバー部１６１に覆われた弛み部１６７が、移動方向の弛みが少なくなり、逆方向の弛みが増加されて、眼幅調整が行われる。
【００３４】
これにより、カバー部材１６のスリーブ１４（１５）及びハウジング１２への容易な組付けが実現され、保守点検等の作業性の向上が図れる。また、カバー部材１６を、ハウジング１２とスリーブ１４（１５）との間を封止する弛み部１６７をカバー部１６１で覆うカバー構造を採っていることにより、眼幅に応じた塵の侵入を確実に防止したうえで、堅牢で耐久性に優れた、防塵構造を実現することができる。
【００３５】
また、これによれば、スリーブ１４（１５）の移動に連動してカバー部材１６のカバー部１６１の当接部１６３が、摺動部１６６上に摺動されると共に、該カバー部１６１に覆われた調整口１６４を閉塞する弛み部１６７が、変形されてスリーブ１４（１５）の移動を許容する防塵構造を採っていることにより、信頼性の高い確実な防塵構造を実現したうえで、弛み部１６７の破損等の防止が図れて、長寿命化が図れる。
【００３６】
また、この発明は、上記実施の形態に限ることなく、その他、図４乃至図９に示すように構成することも可能で、さらに有効な効果が期待される。但し、この図４乃至図９の説明においては、上記図１乃至図３に示す構成と同一部分について、同一符号を付して、その詳細な説明を省略する。
【００３７】
図４及び図５に示す実施の形態は、カバー部材１６のカバー部１６１の当接部１６３と、摺動部１６６との間に、例えば表面に潤滑処理を施したドーナツ状の潤滑シート１７を介在するように構成した。この潤滑シート１７は、その形状寸法が、スリーブ１４（１５）の移動量等に応じて適宜に設定され、例えば内径をスリーブ１４（１５）の移動方向に対応して楕円形状に形成して、外径を大きく形成することにより、カバー部１６１の移動量の大きな構成においても、容易に適用することが可能となる。
【００３８】
上記構成により、カバー部材１６は、スリーブ１４（１５）が移動付勢されると、そのカバー部１６１の当接部１６３が潤滑シート１７上を滑らかに摺動して同方向に移動される。ここで、弛み部１６７は、図５（ａ）（ｂ）に示すようにカバー部１６１の移動方向に応じて弛み量が可変されてスリーブ１４（１５）の移動を許容し、上述したように眼幅調整が実行される（但し、図５においては、スリーブ１４（１５）の一方側のみを図示、他方側は、一方側と略逆に動作される）。
【００３９】
上記潤滑シート１７は、カバー部材１６のカバー部１６１が所定位置まで摺動されると、スリーブ１４（１５）の移動に伴いカバー部１６１の他端、あるいは弛み部１６７により押し出されて摺動部１６６とカバー部１６１の当接部１６３との間を移動して、スリーブ１４（１５）の所望の位置までの移動を可能とする。これにより、カバー部材１６のカバー部１６１の安定した摺動を実現したうえで、カバー部１６１の当接部１６３と摺動部１６６との間の密着性の向上が図れて、弛み部１６７への塵の侵入が防止されることにより、さらに防塵効率の向上を図ることが可能となる。
【００４０】
また、図６及び図７の実施の形態では、図１乃至図３の実施の形態で説明したのと略同様のカバー部１６１、調整口１６４、弾性係止部１６５及び弛み部１６７を一組として、二組を、板状の摺動部１６９に、上記接眼レンズ１６１，１６２の装着された一対のスリーブ１４，１５に対応して所定の間隔を有して弾性部材で一体的にカバー部材２０を形成するように構成した。
【００４１】
即ち、カバー部材２０には、板状の摺動部１６９に対して二組のカバー部１６１、調整口１６４、弾性係止部１６５及び弛み部１６７が、ハウジング１２の一対のスリーブ１４，１５に対応して所定の間隔に形成される。そして、このカバー部材２０は、その各カバー部１６１及び弛み部１６７を、一対のスリーブ１４，１５の周囲に嵌挿して組付ける。この際、摺動部１６９は、ハウジング１２のスリーブ１４，１５の周囲に設けた凹部１２４に対して略面一に収容し、その背面に設けた複数の嵌合突部１６８を、ハウジング１２の凹部１２４に設けた嵌合孔１２５に弾性係合させて組付けてハウジング１２に取り付ける。
【００４２】
上記構成により、眼幅調整時には、一対のスリーブ１４，１５が、上記眼幅調整機構部（図示せず）を介して、ハウジング１２に対して狭まる方向あるいは離間する方向に移動付勢されて調整される（図７参照）。この際、スリーブ１４，１５に取り付けられたカバー部材２０は、そのカバー部１６１、１６１の当接部１６３、１６３が摺動部１６９上を摺動して、その摺動方向に対応して弛み部１６７、１６７の弛み量がそれぞれ変化されて、同様に一対のスリーブ１４，１５がハウジング１２に対して所望の位置まで移動される。これにより、カバー部材２０は、そのカバー部１６１，１６１が移動位置において、同様に弛み部１６７，１６７を覆って塵等が調整口１６４，１６４内に侵入するのを防止する。
【００４３】
また、この図６及び図７に示す実施の形態においても、上記図４及び図５の実施の形態における潤滑シート１７をカバー部１６１，１６１の当接部１６３，１６３と摺動部１６９との間に介在して構成するようにしてもよい。これにより、上記図４及び図５の実施の形態と同様の効果が期待される。
【００４４】
図８に示す実施の形態では、一対のスリーブ１４，１５を、合体可能に分割した一対の分割ハウジング２１，２２に分離配置する。そして、この分割ハウジング２１，２２には、スリーブ１４，１５の配されるスリーブ配置面に相互で凹状収容部を構成する摺動部収容用の凹部２１１，２２１が設けられ、この分割ハウジング２１，２２の凹部２１１，２２１間に上記図６及び図７に示すカバー部材２０の摺動部１６９が収容されて取り付けられる。これによれば、カバー部材２０を用いて接眼レンズ鏡筒を配した分割ハウジング２１，２２の相互間の防塵機能も奏し、防塵構造の兼用が可能となり、容易に顕微鏡構造の多様化を図ることが可能となる。
【００４５】
また、上記分割ハウジング２１，２２には、上記カバー部材１６をそれぞれ配するように構成してもよい。この場合には、一方のカバー部材１６の摺動部１６６を、分割ハウジング２１，２２間を跨ぐように他方よりも大きい形状に形成することにより、分割ハウジング２１，２２の連結部間の封止を容易に実現することが可能となる。
【００４６】
そして、この図８に示す実施の形態においても、上記図４及び図５の実施の形態における潤滑シート１７をカバー部１６１の当接部１６３と摺動部１６９との間に介在して構成するようにしてもよい。これにより、上記図４及び図５の実施の形態と同様の効果が期待される。
【００４７】
また、図９の実施の形態では、上記一対のスリーブ１４（１５）を、例えば第１及び第２のスリーブ２３，２４に分離して同軸上に配し、この第１及び第２のスリーブ２３，２４により、上記カバー部材１６のカバー部１６１の係合部１６２を挟持してカバー部１６１を第１及び第２のスリーブ２３，２４に位置決め保持するように構成したものである。但し、図９においては、図の都合上、一方のスリーブ１４側のみを図示し、他方のスリーブ１５側については、略同様に構成されることで、ここでは、その説明を省略する。
【００４８】
即ち、第１のスリーブ２３には、先端部にねじ部２３１を形成し、このねじ部２３１の基部には、係合溝２３２が上記カバー部材１６のカバー部１６１の係合部１６２に対応して形成する。また、第２のスリーブ２４の一端部には、その内壁にねじ孔２４１が、第１のスリーブ２３のねじ部２３１に対応して形成され、その他端部に上記接眼レンズ９ａ（９ｂ）が取り付けられる。
【００４９】
上記構成において、第１のスリーブ２３は、そのねじ部２３１がハウジング１２の開口１２１より延出されて配され、そのねじ部２３１が、上記カバー部材１６のカバー部１６１に挿通されて、該カバー部１６１の係合部１６２が係合溝２３２に係合される。この状態で、上記カバー部材１６は、その摺動部１６６がハウジング１２の凹部１２２に収容されて、嵌合突部１６８を凹部１２２の挿通孔１２３に挿入し、該摺動部１６６を凹部１２２に組付ける。
【００５０】
次に、第１のスリーブ２３のねじ部２３１には、第２のスリーブ２４のねじ孔２４１が螺合される。そして、この第２のスリーブ２４は、その一端がカバー部材１６のカバー部１６１の係合部１６２の一方面に当接されて、該係合部１６２を、軽く、押圧するまでねじ込み操作される。ここで、カバー部１６１の係合部１６２は、第１のスリーブ２３の係合溝２３２と第２のスリーブ２４の先端とにより、その弾性力に抗して挟持されて組付けられる。これにより、カバー部材１６のカバー部１６１を、第２のスリーブ２４を第１のスリーブ２３に螺合させるだけの操作で、カバー部１６１の確実な組付けが実現され、しかも、簡便にして、容易な組付け作業が実現される。
【００５１】
また、図９に示す実施の形態によるカバー取付け構造によれば、カバー部１６１の確実な組付けが可能となることにより、第１及び第２のスリーブ２３，２４とハウジング１２との間隙を最小限に設定することが可能となるため、容易に小型の促進が図れる。この結果、防塵性能の優れた構造を容易に実現することが可能となる。
【００５２】
この図９に示す実施の形態においても、上記図４及び図５の実施の形態における潤滑シート１７をカバー部１６１の当接部１６３と摺動部１６６との間に介在して構成するようにしてもよい。これにより、上記図４及び図５の実施の形態と同様の効果が期待される。
【００５３】
また、図９に示すスリーブ構造は、上記図８に示す分割ハウジング２１，２２で合体分離可能なハウジング構造においても適用可能である。
【００５４】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００５５】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００５６】
【発明の効果】
以上詳述したように、この発明によれば、構成簡易にして、信頼性の高い確実な防塵を実現し得、且つ、簡便にして容易な組立て作業を実現し得るようにした実体顕微鏡を提供することができる。
【図面の簡単な説明】
【図１】この発明の一実施の形態に係る実体顕微鏡の要部の外観を示した斜視図である。
【図２】図１の一方の接眼レンズ鏡筒を示した断面図である。
【図３】図２の接眼レンズ鏡筒の眼幅調整動作を説明するために示した断面図である。
【図４】この発明の他の実施の形態に係る実体顕微鏡の要部を断面して示した断面図である。
【図５】図４の接眼レンズ鏡筒の眼幅調整動作を説明するために示した断面図である。
【図６】この発明の他の実施の形態に係る実体顕微鏡の要部を断面して示した断面図である。
【図７】図６の外観を示した斜視図である。
【図８】この発明の他の実施の形態に係る実体顕微鏡の要部の外観を示した斜視図である。
【図９】この発明の他の実施の形態に係る実体顕微鏡の要部を断面して示した断面図である。
【符号の説明】
９ａ，９ｂ  …  接眼レンズ
１０  …  顕微鏡本体
１１，１２  …  ハウジング
１２１  …  開口
１２２  …  凹部
１２３  …  嵌合孔
１２４  …  凹部
１２５  …  嵌合孔
１３  …  ズームハンドル
１４，１５  …  スリーブ
１４１，１５１  …  係合溝
１６  …  カバー部材
１６１  …  カバー部
１６２  …  係合部
１６３  …  当接部
１６４  …  調整口
１６５  …  弾性係止部
１６６  …  摺動部
１６７  …  弛み部
１６８  …  嵌合突部
１６９  …  摺動部
１７  …  潤滑シート
２０  …  カバー部材
２１、２２  …  分割ハウジング
２１１，２２１  …  凹部
２３  …  第１のスリーブ
２３１  …  ねじ部
２３２  …  係合溝
２４  …  第２のスリーブ
２４１  …  ねじ孔
【図１】
2005003896.tif 000003
【図２】
2005003896.tif 000004
【図３】
2005003896.tif 000005
【図４】
2005003896.tif 000006
【図５】
2005003896.tif 000007
【図６】
2005003896.tif 000008
【図７】
2005003896.tif 000009
【図８】
2005003896.tif 000010
【図９】
2005003896.tif 000011